(57)【特許請求の範囲】
【請求項１】
複数の画素部が形成される表示領域と、該表示領域を取り囲む周辺領域とで形成されるベース基板と、
前記周辺領域に形成され、静電気から前記画素部を保護するダミー回路部と、
前記ダミー回路部から延長され、前記周辺領域に第１金属層で形成される延長配線と、
前記周辺領域に第２金属層で形成され、共通電圧を伝達する金属パターンと、
前記延長配線と前記金属パターンとが互いに重畳する重畳部とを有し、
前記金属パターンは、前記画素部に共通電圧を伝達する共通電圧配線であり、
前記重畳部の前記延長配線は、前記金属パターンと重畳する領域で複数の離隔した微細ライン部に分けられ、
前記微細ライン部と前記金属パターンとが重畳した部分にそれぞれ独立して形成された複数のキャパシタを含み、
前記ダミー回路部に流れ込む静電気は、前記重畳部の前記複数のキャパシタで放散（ｄｉｓｓｉｐａｔｅ）され、前記表示領域に流れる前に遮断されることを特徴とするアレイ基板。
【請求項２】
前記金属パターンは、前記アレイ基板と向かい合う対向基板に前記共通電圧を伝達するショートポイント（ｓｈｏｒｔ  ｐｏｉｎｔ）を含むことを特徴とする請求項１に記載のアレイ基板。
【請求項３】
前記ダミー回路部と隣接した前記表示領域内に形成され電気的にフローティング状態であるダミー画素部を更に有することを特徴とする請求項１に記載のアレイ基板。
【請求項４】
前記延長配線は、前記ダミー画素部と電気的にオープンされていることを特徴とする請求項３に記載のアレイ基板。
【請求項５】
前記キャパシタは、前記延長配線と、延長配線上に形成されたチャンネルパターンと、該チャンネルパターン上に形成される前記金属パターンとから形成されることを特徴とする請求項１に記載のアレイ基板。
【請求項６】
前記表示領域は、前記第１金属層から形成される複数のゲートラインと、前記第２金属層から形成される複数のソースラインとを含むことを特徴とする請求項１に記載のアレイ基板。
【請求項７】
複数の画素部が形成される表示領域と、該表示領域を取り囲む周辺領域とで構成されるベース基板と、
前記周辺領域に形成され、静電気から前記画素部を保護するダミー回路部と、
前記ダミー回路部と隣接した前記表示領域内に形成され、電気的にフローティング状態であるダミー画素部と、
前記ダミー回路部から延長されて前記周辺領域に第１金属層で形成され、前記ダミー画素部と電気的にオープンされている延長配線と、
前記周辺領域に形成され、前記画素部にストレージ共通電圧を伝達する共通電圧配線と、
前記延長配線と前記共通電圧配線とが互いに重畳する重畳部とを有し、
前記重畳部の前記延長配線は、前記共通電圧配線と重畳する領域で複数の離隔した微細ライン部に分けられ、
前記微細ライン部と前記共通電圧配線とが重畳した部分にそれぞれ独立して形成された複数のキャパシタを含み、
前記ダミー回路部に流れ込む静電気は、前記重畳部の前記複数のキャパシタで放散（ｄｉｓｓｉｐａｔｅ）され、前記表示領域に流れる前に遮断されることを特徴とするアレイ基板。
【請求項８】
第１基板と、
前記第１基板に対向し、複数の画素部が形成される表示領域と、該表示領域を取り囲む周辺領域に形成され静電気から前記画素部を保護するダミー回路部と、該ダミー回路部から延長され第１金属層で形成された延長配線と、第２金属層で形成され共通電圧を伝達する金属パターンと、前記延長配線と前記金属パターンが重畳する重畳部とを含む第２基板と、
前記第１基板と第２基板との間に介在される液晶層とを有し、
前記金属パターンは、前記画素部に共通電圧を伝達する共通電圧配線であり、
前記重畳部の前記延長配線は、前記金属パターンと重畳する領域で複数の離隔した微細ライン部に分けられ、
前記微細ライン部と前記金属パターンとが重畳した部分にそれぞれ独立して形成された複数のキャパシタを含み、
前記ダミー回路部に流れ込む静電気は、前記重畳部の前記複数のキャパシタで放散（ｄｉｓｓｉｐａｔｅ）され、前記表示領域に流れる前に遮断されることを特徴とする表示装置。
【請求項９】
前記金属パターンは、前記第１基板に形成される共通電極層に前記共通電圧を伝達するショートポイントを含むことを特徴とする請求項８に記載の表示装置。
【請求項１０】
前記第２基板は、前記ダミー回路部と隣接した前記表示領域内に形成され、電気的にフローティング状態であるダミー画素部を更に含むことを特徴とする請求項８に記載の表示装置。
【請求項１１】
前記延長配線は、前記ダミー画素部と電気的にオープンされていることを特徴とする請求項１０に記載の表示装置。
【発明の詳細な説明】
【技術分野】
【０００１】
本発明は、アレイ基板とこれを具備した表示装置に関し、より詳細には、静電気不良を防止するためのアレイ基板とこれを具備した表示装置に関する。
【背景技術】
【０００２】
一般に、液晶表示装置は、互いに向かい合うアレイ基板及び対向基板、両基板間に介在された液晶層を含む液晶表示パネル、及び液晶表示パネルを駆動する駆動装置を含む。
【０００３】
アレイ基板は、複数のゲート配線と複数のデータ配線と、ゲート配線とデータ配線がそれぞれ連結された薄膜トランジスタ（ＴＦＴ）を含む。アレイ基板は、ＡＳＧ（Ａｍｏｒｐｈｏｕｓ  Ｓｉｌｉｃｏｎ  Ｇａｔｅ）やＣＯＧ（Ｃｈｉｐ  Ｏｎ  Ｇｌａｓｓ）等集積度が高い新しい技術適用によって金属配線密集度が高いパターンを使用することにより、静電気不良が増加している。
【０００４】
アレイ基板及び液晶表示パネルの製造工程時、工程上で発生する静電気は、アレイ基板に形成された金属配線に流れ込む。このような静電気は、金属配線の断線及び短絡のような配線不良を発生させ、又、薄膜トランジスタ（ＴＦＴ）を損傷させる等の不良を発生させるという問題がある。
【発明の開示】
【発明が解決しようとする課題】
【０００５】
そこで、本発明は上記従来のアレイ基板における問題点に鑑みてなされたものであって、本発明の目的は、製造工程時に流れ込む静電気による不良を防止することのできるアレイ基板を提供することにある。
【０００６】
本発明の他の目的は、上記アレイ基板を含む表示装置を提供することにある。
【課題を解決するための手段】
【０００７】
上記目的を達成するためになされた本発明によるアレイ基板は、複数の画素部が形成される表示領域と、該表示領域を取り囲む周辺領域とで形成されるベース基板と、前記周辺領域に形成され、静電気から前記画素部を保護するダミー回路部と、前記ダミー回路部から延長され、前記周辺領域に第１金属層で形成される延長配線と、前記周辺領域に第２金属層で形成され、共通電圧を伝達する金属パターンと、前記延長配線と前記金属パターンとが互いに重畳する重畳部とを有し、前記金属パターンは、前記画素部に共通電圧を伝達する共通電圧配線であり、前記重畳部の前記延長配線は、前記金属パターンと重畳する領域で複数の離隔した微細ライン部に分けられ、前記微細ライン部と前記金属パターンとが重畳した部分にそれぞれ独立して形成された複数のキャパシタを含み、前記ダミー回路部に流れ込む静電気は、前記重畳部の前記複数のキャパシタで放散（ｄｉｓｓｉｐａｔｅ）され、前記表示領域に流れる前に遮断されることを特徴とする。
【０００８】
また、上記目的を達成するためになされた本発明によるアレイ基板は、複数の画素部が形成される表示領域と、該表示領域を取り囲む周辺領域とで構成されるベース基板と、前記周辺領域に形成され、静電気から前記画素部を保護するダミー回路部と、前記ダミー回路部と隣接した前記表示領域内に形成され、電気的にフローティング状態であるダミー画素部と、前記ダミー回路部から延長されて前記周辺領域に第１金属層で形成され、前記ダミー画素部と電気的にオープンされている延長配線と、前記周辺領域に形成され、前記画素部にストレージ共通電圧を伝達する共通電圧配線と、前記延長配線と前記共通電圧配線とが互いに重畳する重畳部とを有し、前記重畳部の前記延長配線は、前記共通電圧配線と重畳する領域で複数の離隔した微細ライン部に分けられ、前記微細ライン部と前記共通電圧配線とが重畳した部分にそれぞれ独立して形成された複数のキャパシタを含み、前記ダミー回路部に流れ込む静電気は、前記重畳部の前記複数のキャパシタで放散（ｄｉｓｓｉｐａｔｅ）され、前記表示領域に流れる前に遮断されることを特徴とする。
【０００９】
上記目的を達成するためになされた本発明による表示装置は、第１基板と、前記第１基板に対向し、複数の画素部が形成される表示領域と、該表示領域を取り囲む周辺領域に形成され静電気から前記画素部を保護するダミー回路部と、該ダミー回路部から延長され第１金属層で形成された延長配線と、第２金属層で形成され共通電圧を伝達する金属パターンと、前記延長配線と前記金属パターンが重畳する重畳部とを含む第２基板と、前記第１基板と第２基板との間に介在される液晶層とを有し、前記金属パターンは、前記画素部に共通電圧を伝達する共通電圧配線であり、前記重畳部の前記延長配線は、前記金属パターンと重畳する領域で複数の離隔した微細ライン部に分けられ、前記微細ライン部と前記金属パターンとが重畳した部分にそれぞれ独立して形成された複数のキャパシタを含み、前記ダミー回路部に流れ込む静電気は、前記重畳部の前記複数のキャパシタで放散（ｄｉｓｓｉｐａｔｅ）され、前記表示領域に流れる前に遮断されることを特徴とする。
【発明の効果】
【００１１】
本発明に係るアレイ基板とこれを具備した表示装置によれば、表示領域と隣接するように形成され、静電気から表示領域を保護するダミー回路部が形成されたアレイ基板において、ショートポイント又はショートポイントと電気的に接続された共通電圧配線とダミー回路部から延長された延長配線が重畳される重畳部を形成することにより、ダミー回路部に流れ込んできた静電気を、重畳部で放散（ｄｉｓｓｉｐａｔｅ）させるという効果がある。
又、延長配線は、表示領域と電気的及び物理的にオープンされるように形成する。これによって、重畳部で放散して残留する静電気が表示領域に流入されることを防止することにより、画素部が損傷されることを防止することができるという効果がある。
【発明を実施するための最良の形態】
【００１２】
次に、本発明に係るアレイ基板とこれを具備した表示装置を実施するための最良の形態の具体例を図面を参照しながら説明する。
【００１３】
図１は本発明の実施形態によるアレイ基板の平面図であり、図２は図１の第１ショートポイント付近の部分拡大図である。
【００１４】
図１及び図２を参照すると、アレイ基板２００は、母基板１００上に複数個形成される。アレイ基板２００は、表示領域ＤＡと表示領域ＤＡを取り囲む第１、第２、第３、及び第４周辺領域ＰＡ１、ＰＡ２、ＰＡ３、ＰＡ４で構成される。第２周辺領域ＰＡ２は第１周辺領域ＰＡ１と対向し、第４周辺領域ＰＡ４は第３周辺領域ＰＡ３と対向する。
【００１５】
表示領域ＤＡには、複数のゲート配線ＧＬと、複数のソース配線ＤＬと、ゲート配線とソース配線によって定義される複数の画素部Ｐが形成される。各画素部Ｐには、ゲート配線ＧＬとソース配線ＤＬに連結されたスイッチング素子ＴＦＴと、スイッチング素子ＴＦＴに連結された画素電極ＰＥが形成される。図示していないが、画素部Ｐにはストレージキャパシタが形成される。
【００１６】
又、第２周辺領域ＰＡ２と隣接する表示領域ＤＡの一端部には、静電気から画素部を保護するためのダミー画素部２２０が形成される。ダミー画素部２２０は画像が表示されない画素部であって、複数の画素部の一端部に形成され外部から流れ込む静電気から画素部を保護する。
【００１７】
第１周辺領域ＰＡ１には、複数のパッド２３１で形成されたパッド部２３０が形成される。パッド部２３０は、画素部を駆動するための駆動信号を出力する駆動チップが実装される。
【００１８】
第２周辺領域ＰＡ２には、ダミー回路部２４０、静電気ダイオード部２４５、第１ショートポイント（ｓｈｏｒｔ  ｐｏｉｎｔ）２５０、及び第２ショートポイント２６０が形成される。
【００１９】
ダミー回路部２４０は、フローティング状態のゲート回路部であって、第２周辺領域ＰＡ２とゲート回路部２８０、２９０が形成された第３及び第４周辺領域ＰＡ３、ＰＡ４との段差補償、及び静電気防止のために形成される。静電気ダイオード部２４５も、ソース配線ＤＬを通じて静電気が表示領域ＤＡに流れ込むことを防止するためのもので、ソース配線ＤＬの一端部に連結された１つ以上のダイオードで構成される。
【００２０】
第１及び第２ショートポイント２５０、２６０は、アレイ基板２００と対向する対向基板（図示せず）の共通電極層と電気的に短絡（ショート）され、共通電圧Ｖｃｏｍを対向基板の共通電極層に伝達する。
【００２１】
第３周辺領域ＰＡ３には、第１共通電圧配線２５１、第１重畳部２７２、及び第１ゲート回路部２８０が形成される。第１重畳部２７２は、第３周辺領域ＰＡ３に隣接するように形成することができる。第１共通電圧配線２５１は、第１ショートポイント２５０及び画素部Ｐのストレージ共通電極（図示せず）と電気的に接続され、第１ショートポイント２５０及びストレージ共通電極に共通電圧Ｖｃｏｍを伝達する。第１重畳部２７２は、第１ショートポイント２５０又は第１共通電圧配線２５１とダミー回路部２４０の第１延長配線２４１ａが重畳する重畳領域である。
【００２２】
好ましくは、第１重畳部２７２には、第１金属層で形成された第１延長配線２４１ａと、第２金属層で形成された第１ショートポイント２５０又は第１共通電圧配線２５１を両端電極とし、第１金属層と第２金属層との間に介在されるチャンネル層とで形成された複数の静電気キャパシタが形成される。
【００２３】
この時、第１延長配線２４１ａは、表示領域ＤＡに形成されたダミー画素部２２０と物理的及び電気的にオープンされた状態である。これによって、ダミー回路部２４０に流れ込んだ静電気は、表示領域ＤＡに伝達される前に、第１重畳部２７２で放散（ｄｉｓｓｉｐａｔｅ）させられ、画素部Ｐの損傷を防止する。
【００２４】
第１ゲート回路部２８０は、ゲート配線ＧＬのうち、第１グループのゲート配線に順次にゲート信号を出力する。例えば、第１グループは、奇数番目ゲート配線である。
【００２５】
第４周辺領域ＰＡ４には、第２共通電圧配線２６１、第２重畳部２７４、及び第２ゲート回路部２９０が形成される。第２重畳部２７２は、第４周辺領域に隣接するように形成されることができる。第２共通電圧配線２６１は、第２ショートポイント２６０及び画素部Ｐのストレージ共通電極（図示せず）と電気的に接続され、第２ショートポイント２６０及びストレージ共通電極に共通電圧Ｖｃｏｍを伝達する。第２重畳部２７４は、第２ショートポイント２６０又は第２共通電圧配線２６１とダミー回路部２４０の第２延長配線２４１ｂが重畳する重畳領域である。
【００２６】
好ましくは、第２重畳部２７４には、第１金属層で形成された第２延長配線２４１ｂと、第２金属層で形成された第２ショートポイント２６０又は第２共通電圧配線２６１を両端電極とし、第１金属層と第２金属層との間に介在されるチャンネル層２１２とで構成された複数の静電気キャパシタが形成される。
【００２７】
この時、第２延長配線２４１ｂは、表示領域ＤＡに形成されたダミー画素部２２０と物理的及び電気的にオープンされる。これによって、ダミー回路部２４０に流れ込んだ静電気は、表示領域ＤＡに伝達される前に、第２重畳部２７４で放散させられ、画素部Ｐの損傷を防止する。
【００２８】
第２ゲート回路部２９０は、ゲート配線ＧＬのうち、第２グループのゲート配線に順次にゲート信号を出力する。例えば、第２グループは偶数番目ゲート配線である。
【００２９】
図３は、図１の第１重畳部に対する拡大図で、図４は図３のＩ−Ｉ’線に沿って切断した部分と表示領域ＤＡのスイッチング素子ＴＦＴ部分の断面図である。
【００３０】
図２〜図４を参照すると、第１重畳部２７２は、少なくとも１つ以上の重畳領域（ＯＡ１、ＯＡ２）を含む。各重畳領域には、複数の静電気キャパシタＣｓｅが形成される。
【００３１】
具体的には、第１重畳領域ＯＡ１には、第１金属層で形成されダミー回路部２４０から延長された第１延長配線２４１ａと、第１ショートポイント２５０と電気的に接続され第２金属層で形成された第１共通電圧配線２５１が互いに交差して重畳される。第１重畳領域ＯＡ１には、複数の静電気キャパシタＣｓｅが形成される。
【００３２】
各静電気キャパシタＣｓｅは、第１延長配線２４１ａがパターニングされた電極パターン２４２と電極パターン２４２上に形成されたチャンネルパターン２１２及びチャンネルパターン２１２上に形成された第１共通電圧配線２５１によって定義される。
【００３３】
例えば、第１延長配線２４１ａは、ダミー回路部２４０から延長されることができ、第１共通電圧配線２５１と重畳される領域で多数の微細ライン部に分けられることができる。微細ライン部は、電極パターン２４２を形成するように拡張された部分を含むことができ、拡張された部分はチャンネルパターン２１２と重畳することができる。
【００３４】
第２重畳領域ＯＡ２にも、第１延長配線２４１ａと第１共通電圧配線２５１で形成された複数の静電気キャパシタＣｓｅが形成される。ここで、第１金属層はゲート金属層であり、第２金属層はソース金属層である。即ち、第１延長配線２４１ａは、ゲートラインＧＬと同じ層から形成することができ、第１共通電圧配線２５１はデータラインＤＬと同じ層から形成することができる。
【００３５】
図４は、アレイ基板２００の表示領域ＤＡのスイッチング素子ＴＦＴ部分と第３周辺領域ＰＡ３の第１重畳領域の部分の断面を示し、ベース基板２０１を含む。
【００３６】
ベース基板２０１上の表示領域ＤＡにはゲート金属層からゲート配線ＧＬとスイッチング素子ＴＦＴのゲート電極２１１が形成される。又、図示していないが、ゲート金属層からストレージキャパシタのストレージ共通電極が形成される。
【００３７】
第３周辺領域ＰＡ３には、ゲート金属層から第１延長配線２４１ａが形成される。第１延長配線２４１ａは、第１重畳部２７２に対応して複数の電極パターン２４２にパターニングされる。そして、ゲート電極２１１、複数の電極パターン２４２を含むベース基板２０１上には、ゲート絶縁層２０２が形成される。第１延長配線２４１ａは、表示領域ＤＡに形成されたダミー画素部２２０と物理的及び電気的にオープンされた状態である。
【００３８】
その後、ゲート絶縁層２０２が形成されたベース基板２０１上にチャンネル層を形成する。チャンネル層は、非晶質シリコン層で形成された活性層２１２ａと不純物が高濃度でドーピングされたｎ＋非晶質シリコン層で形成されたオーミックコンタクト層２１２ｂを含む。
【００３９】
チャンネル層はパターニングされ、表示領域ＤＡにはスイッチング素子ＴＦＴのゲート電極２１１上に第１チャンネルパターン２１２−１と、第３周辺領域ＰＡ３には電極パターン２４２上に第２チャンネルパターン２１２−２を形成する。それぞれのチャンネルパターン２１２−１と第２チャンネルパターン２１２−２は、活性層２１２ａとオーミックコンタクト層２１２ｂを含むことができる。
【００４０】
第１及び第２チャンネルパターン２１２−１、２１２−２が形成されたベース基板２０１上に第２金属層であるソース金属層で表示領域ＤＡには、ソース配線ＤＬと、スイッチング素子ＴＦＴのソース電極２１３及びドレイン電極２１４を形成する。一方、第３周辺領域ＰＡ３には、第１ショートポイント２５０と電気的に接続された第１共通電圧配線２５１を形成する。
【００４１】
これによって、第３周辺領域ＰＡには、第１延長配線２４１ａ上に形成された電極パターン２４２と第２チャンネルパターン２１２−２及び第１共通電圧配線２５１によって複数の静電気キャパシタＣｅｓが形成される。
【００４２】
以後、ベース基板２０１上には、保護絶縁膜２０３が形成される。より詳細に説明すると、保護絶縁膜２０３は、第１共通電圧配線２５１、ソース電極２１３、ドレイン電極２１４、ソース電極２１３とドレイン電極２１４との間に露出された活性層２１２ａ部分及びゲート絶縁層２０２の露出された部分上に形成される。表示領域ＤＡの保護絶縁膜２０３は、それぞれの画素部に対応してコンタクトホール２１６が形成され、コンタクトホール２１６を通じて画素電極２１７がドレイン電極２１４と電気的に接続される。
【００４３】
第１延長配線２４１ａは、表示領域ＤＡに形成されたダミー画素部２２０と物理的及び電気的にオープンされた状態であり、その結果としてダミー回路部２４０に流れ込んだ静電気は、表示領域ＤＡに伝達される前に、複数の静電気キャパシタＣｅｓが形成された重畳領域ＯＡ１、ＯＡ２にて放散させられ、静電気から表示領域ＤＡの画素部Ｐを保護する。
【００４４】
図５は、本発明の他の実施形態による表示装置の平面図である。
【００４５】
図１及び図５を参照すると、表示装置は、表示パネルと表示パネルを駆動する駆動装置を含む。
【００４６】
表示パネルは、図１に示したアレイ基板２００と、アレイ基板２００に対向する対向基板３００と、両基板（２００、３００）の間に介在される液晶層（図示せず）を含む。対向基板３００は、共通電極基板又はカラーフィルタ基板とも称することができる。表示パネルは、複数の画素部Ｐが形成された表示領域ＤＡと表示領域ＤＡを取り囲む第１、第２、第３、及び第４周辺領域ＰＡ１、ＰＡ２、ＰＡ３、ＰＡ４で形成される。各画素部Ｐは、スイッチング素子ＴＦＴ、スイッチング素子ＴＦＴと連結された液晶キャパシタＣＬＣ及び液晶キャパシタＣＬＣと電気的に接続されたストレージキャパシタＣＳＴを含む。
【００４７】
第１周辺領域ＰＡ１には、駆動チップ４１０が実装される。第２周辺領域ＰＡ２には、ダミー回路部２４０、静電気ダイオード部２４５、第１ショートポイント２５０、及び第２ショートポイント２６０が形成される。第３周辺領域ＰＡ３には、第１共通電圧配線２５１、第１重畳部２７２、及び第１ゲート回路部２８０が形成される。第４周辺領域ＰＡ４には、第２共通電圧配線２６１、第２重畳部２７４、及び第２ゲート回路部２９０が形成される。
【００４８】
第１及び第２重畳部２７２、２７４は、第１及び第２ショートポイント２５０、２６０とダミー回路部２４０の第１及び第２延長配線２４１ａ、２４１ｂとそれぞれ重畳される領域であるか、または、第１及び第２共通電圧配線２５１、２６１と第１及び第２延長配線２４１ａ、２４１ｂが交差して重畳する領域である。好ましくは、第１及び第２重畳部２７２、２７４には、複数の静電気キャパシタが形成される。
【００４９】
これによって、第１及び第２重畳部２７２、２７４は、ダミー回路部２４０に流れ込む静電気を表示領域ＤＡに伝達される前に、放散させ、静電気から表示領域ＤＡの画素部Ｐを保護する。
【００５０】
この時、第１及び第２延長配線２４１ａ、２４１ｂは、表示領域ＤＡに形成されたダミー画素部２２０と電気的にオープンされた状態である。これによって、静電気は第１及び第２重畳部２７２、２７４で放散して残留する静電気が表示領域ＤＡに流れ込むことを防止することができる。
【００５１】
駆動装置は、アレイ基板２００の第１周辺領域ＰＡ１に実装された駆動チップ４１０と、駆動チップ４１０と外部装置を電気的に連結するフレキシブル印刷回路基板４５０を含む。又、駆動装置は、駆動チップ４１０から提供された駆動信号によって駆動する第１及び第２ゲート回路部２８０、２９０を含む。
【００５２】
以上の実施形態では、好ましい実施形態として、第３及び第４周辺領域に形成されたゲート回路部、配線、及び重畳部が互いに対称であるアレイ基板を例として挙げたが、第３周辺領域にのみゲート回路部、配線、及び重畳部を形成することもできる。
【００５３】
本発明の他の目的を実現するための静電気からアレイ基板の表示領域を保護する方法は、アレイ基板の表示領域を取り囲む周辺領域にダミー回路部を形成する段階と、ダミー回路部から延長された複数の延長配線を第１金属層で形成する段階と、第２金属層で形成され共通電圧が印加される金属パターンを延長配線と周辺領域で重畳させる重畳部を形成する段階と、ダミー回路部から流れ込む静電荷を重畳部で遮断する段階とを有する。
上記方法は、延長配線から形成された電極パターン、電極パターン上に形成されたチャンネルパターン、及びチャンネルパターンの上部に形成された金属パターンとから形成される静電キャパシタを重畳部に形成する段階を更に有することができ、又、表示領域内に、延長配線と電気的にオープンされたダミー画素部を形成する段階を更に有することができる。
【００５４】
尚、本発明は、上述の実施形態に限られるものではない。本発明の技術的範囲から逸脱しない範囲内で多様に変更実施することが可能である。
【図面の簡単な説明】
【００５５】
【図１】本発明の実施形態によるアレイ基板の平面図である。
【図２】図１の第１ショートポイント付近の部分拡大図である。
【図３】図１の第１重畳部に対する拡大図である。
【図４】図３のＩ−Ｉ’線に沿って切断した部分と表示領域ＤＡのスイッチング素子ＴＦＴ部分の断面図である。
【図５】本発明の他の実施形態による表示装置の平面図である。
【符号の説明】
【００５６】
１００      母基板
２００      アレイ基板
２０１      ベース基板
２０２      ゲート絶縁層
２０３      保護絶縁膜
２１２      チャンネルパターン
２１２−１、２１２−２    （第１、第２）チャンネルパターン
２１３      ソース電極
２１４      ドレイン電極
２１７      画素電極
２２０      ダミー画素部
２３０      パッド部
２４０      ダミー回路部
２４１ａ、２４１ｂ    （第１、第２）延長配線
２４２      電極パターン
２４５      静電気ダイオード部
２５０、２６０    （第１、第２）ショートポイント
２５１、２６１    （第１、第２）共通電圧配線
２７２、２７４    （第１、第２）重畳部
２８０、２９０    （第１、第２）ゲート回路部
３００      対向基板
４１０      駆動チップ
４５０      フレキシブル印刷回路基板
【図１】
0005147256.tif 000002
【図２】
0005147256.tif 000003
【図３】
0005147256.tif 000004
【図４】
0005147256.tif 000005
【図５】
0005147256.tif 000006